(57)【要約】【課題】本発明の課題は、電源プラグ受けを備える空気調和機の室外機において、その電源プラグ受けを介して電気接続される電気機器に応じて適切な電力制御を実行することができるようにすることにある。【解決手段】本発明に係る冷凍装置１の室外機１０は、電源プラグ受け１５、信号端子受け１６、信号受信部１２ａおよび電力制御部１１，１２を備える。信号受信部は、信号端子受けに接続される。電力制御部は、電源プラグ受けに差込プラグが差し込まれた状態において、信号受信部が特定の信号を受信した場合、差込プラグに電気接続される外部電気機器に対して第１電力制御を実行し、信号受信部が特定の信号を受信しない場合、差込プラグに電気接続される外部電気機器に対して第２電力制御を実行する。【選択図】図１
2016223655.tif 000002
【特許請求の範囲】
【請求項１】
電源プラグ受けと、
信号端子受けと、
前記信号端子受けに接続される信号受信部と、
前記電源プラグ受けに差込プラグが差し込まれた状態において、前記信号受信部が特定の信号を受信した場合、前記差込プラグに電気接続される外部電気機器に対して第１電力制御を実行し、前記信号受信部が特定の信号を受信しない場合、前記差込プラグに電気接続される外部電気機器に対して第２電力制御を実行する電力制御部と
を備える冷凍装置の室外機。
【請求項２】
情報取得装置をさらに備え、
前記電力制御部は、前記電源プラグ受けに差込プラグが差し込まれた状態において、前記信号受信部が特定の信号を受信した場合、前記外部電気機器に対して、前記情報取得装置で取得された情報に基づいて前記第１電力制御を実行する
請求項１に記載の冷凍装置の室外機。
【請求項３】
前記電源プラグ受けには、第１電力供給源および第２電力供給源が接続されており、
前記電力制御部は、前記電源プラグ受けに差込プラグが差し込まれた状態において、前記信号受信部が特定の信号を受信した場合、前記第１電力供給源から前記外部電気機器へ給電を行い、前記信号受信部が特定の信号を受信しない場合、前記第２電力供給源から前記外部電気機器へ給電を行う
請求項１または２に記載の冷凍装置の室外機。
【請求項４】
前記電力制御部は、第１電力制御部および第２電力制御部を有し、
前記第１電力制御部は、前記電源プラグ受けおよび前記信号端子受けに接続されており、前記電源プラグ受けに差込プラグが差し込まれた状態において、前記信号受信部が特定の信号を受信した場合、前記第１電力供給源から前記外部電気機器へ給電を行い、
前記第２電力制御部は、前記電源プラグ受けに接続されており、前記電源プラグ受けに差込プラグが差し込まれた状態において、前記信号受信部が特定の信号を受信しない場合、前記第２電力供給源から前記外部電気機器へ給電を行う
請求項３に記載の冷凍装置の室外機。
【発明の詳細な説明】
【技術分野】
【０００１】
本発明は、空気調和機等の冷凍装置の室外機に関する。
【背景技術】
【０００２】
過去に「電源プラグ受けを備える空気調和機の室外機」が提案されている（例えば、実開昭６３−６６７２０号公報や特開２００２−３０３４３９号公報などを参照）。この電源プラグ受けには、例えば、室外機設置時に用いられるドリルおよび半田ごて等の電動工具の電源プラグ（実開昭６３−６６７２０号公報参照）や、屋外用照明器具およびベランダ設置の洗濯機等の屋外使用電気機器の電源プラグ（特開２００２−３０３４３９号公報参照）が差し込まれることが想定されている。なお、電動工具は、上述の通り、室外機設置時に使用されることが想定されており、空気調和機と同時に使用されることは想定されていない。一方、屋外使用電気機器は、空気調和機と同時に使用されることが想定されている。後者の場合、室外機では、空気調和運転に消費される電力と、屋外使用電気機器の運転に消費される電力との和が規定値を超過した場合に、空気調和運転に消費される電力が制限される（特開２００２−３０３４３９号公報参照）。
【先行技術文献】
【特許文献】
【０００３】
【特許文献１】実開昭６３−６６７２０号公報
【特許文献２】特開２００２−３０３４３９号公報
【発明の概要】
【発明が解決しようとする課題】
【０００４】
ところで、近年、上述のような電動工具や屋外使用電気機器のみならず、室外機のオプション部品（例えば、排水凍結防止用のヒータや、除霜ヒータ等）の電源をその電源プラグ受けを介して取ることが考えられている。しかし、室外機のオプション部品は、室外機の運転状況等に応じて電力制御されるべき場合も想定される。このため、電動工具や屋外使用電気機器に対する電力制御方法を、室外機のオプション部品に対する電力制御方法にそのまま適用することができない場合もあり得る。
【０００５】
本発明の課題は、電源プラグ受けを備える空気調和機の室外機において、その電源プラグ受けを介して電気接続される電気機器に応じて適切な電力制御を実行することができるようにすることにある。
【課題を解決するための手段】
【０００６】
本発明の第１局面に係る冷凍装置の室外機は、電源プラグ受け、信号端子受け、信号受信部および電力制御部を備える。なお、ここにいう「冷凍装置」とは、例えば、空気調和機や、冷蔵庫等である。また、電源プラグ受けは１つだけ設けられてもよいし、複数設けられてもよい。また、信号端子受けも１つだけ設けられてもよいし、複数設けられてもよい。信号受信部は、信号端子受けに接続される。電力制御部は、電源プラグ受けに差込プラグが差し込まれた状態において、信号受信部が特定の信号を受信した場合、差込プラグに電気接続される外部電気機器に対して第１電力制御を実行し、信号受信部が特定の信号を受信しない場合、差込プラグに電気接続される外部電気機器に対して第２電力制御を実行する。なお、かかる場合、電力供給源は、一つのみであってもよいし、複数であってもよい。
【０００７】
本発明の第２局面に係る冷凍装置の室外機は、第１局面に係る冷凍装置の室外機であって、情報取得装置をさらに備える。なお、情報取得装置としては、例えば、サーミスタ等のセンサ類が挙げられる。そして、電力制御部は、電源プラグ受けに差込プラグが差し込まれた状態において、信号受信部が特定の信号を受信した場合、外部電気機器に対して、情報取得装置で取得された情報に基づいて第１電力制御を実行する。
【０００８】
本発明の第３局面に係る冷凍装置の室外機は、第１局面または第２局面に係る冷凍装置の室外機であり、電源プラグ受けには、第１電力供給源および第２電力供給源が接続されている。そして、電源プラグ受けに差込プラグが差し込まれた状態において、信号受信部が特定の信号を受信した場合、電力制御部によって、第１電力供給源から外部電気機器へ給電が行われ、信号受信部が特定の信号を受信しない場合、電力制御部によって、第２電力供給源から外部電気機器へ給電が行われる。なお、かかる場合、冷凍装置の室外機は、第１電力供給源から電力供給を受けるのが好ましい。
【０００９】
本発明の第４局面に係る冷凍装置の室外機は、第３局面に係る冷凍装置の室外機であり、電力制御部は、第１電力制御部および第２電力制御部を有する。第１電力制御部は、電源プラグ受けおよび前記信号端子受けに接続されている。そして、電源プラグ受けに差込プラグが差し込まれた状態において、信号受信部が特定の信号を受信した場合、第１電力制御部によって第１電力供給源から前記外部電気機器へ給電が行われる。一方、第２電力制御部は、電源プラグ受けに接続されている。そして、電源プラグ受けに差込プラグが差し込まれた状態において、信号受信部が特定の信号を受信しない場合、第２電力制御部によって第２電力供給源から外部電気機器へ給電が行われる。
【発明の効果】
【００１０】
上述の通り、本発明の第１局面に係る冷凍装置の室外機では、電源プラグ受けに差込プラグが差し込まれた状態において、信号受信部が特定の信号を受信した場合、電力制御部によって、外部電気機器に対して第１電力制御が実行され、信号受信部が特定の信号を受信しない場合、電力制御部によって、外部電気機器に対して第２電力制御が実行される。このため、この冷凍装置の室外機では、その電源プラグ受けを介して電気接続される電気機器の種別に応じて適切な電力制御を実行することができる。
【００１１】
また、上述の通り、本発明の第２局面に係る冷凍装置の室外機では、電源プラグ受けに差込プラグが差し込まれた状態において、信号受信部が特定の信号を受信した場合、電力制御部によって、外部電気機器に対して、情報取得装置で取得された情報に基づいて第１電力制御が実行される。このため、この冷凍装置の室外機では、室外機の運転状況に応じて適切に外部電気機器の電力制御を実行することができる。
【００１２】
また、上述の通り、本発明の第３局面に係る冷凍装置の室外機では、電源プラグ受けに差込プラグが差し込まれた状態において、信号受信部が特定の信号を受信した場合、電力制御部によって、第１電力供給源から外部電気機器へ給電が行われ、信号受信部が特定の信号を受信しない場合、電力制御部によって、第２電力供給源から外部電気機器へ給電が行われる。すなわち、この冷凍装置の室外機では、特定の信号を利用することによって、電気機器の種別に応じた電力供給源を選択することができる。このため、この冷凍装置の室外機では、冷凍運転（例えば、空気調和運転など）に消費される電力と、外部電気機器の運転に消費される電力との和がいずれの電力供給源の容量を超過するような場合、異なる電力供給源からそれらの電力をまかなわせることができる。したがって、この冷凍装置の室外機では、外部電気機器の運転に必要な電力に制限されることなく、冷凍運転を行わせることができる。
【００１３】
また、上述の通り、本発明の第４局面に係る冷凍装置の室外機では、電源プラグ受けに差込プラグが差し込まれた状態において、信号受信部が特定の信号を受信した場合、第１電力制御部によって第１電力供給源から前記外部電気機器へ給電が行われ、信号受信部が特定の信号を受信しない場合、第２電力制御部によって第２電力供給源から外部電気機器へ給電が行われる。このため、この冷凍装置の室外機では、電力制御部の負荷を分散させることができる。
【図面の簡単な説明】
【００１４】
【図１】本発明の第１の実施の形態に係る空気調和機の簡略ブロック図である。
【発明を実施するための形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１６】
−第１の実施の形態−
＜空気調和機の全体構成と動作概要＞
まず、本実施の形態にかかる空気調和機１の全体構成および基本的な動作概要について説明する。
【００１７】
本実施の形態にかかる空気調和機１は、セパレート式の空気調和機であって、図１に示されるように、主に、室外機１０、室内機３０およびリモートコントローラ（図示せず）から構成されている。なお、空気調和機１は、図１に示されるように、室内機３０と室外機１０とが液側連絡配管（図示せず）およびガス側連絡配管（図示せず）を介して配管接続されると共に室内機３０と室外機１０とが連絡線４０を介して電気通信接続されることによって構成されている。以下、室外機１０、室内機３０およびリモートコントローラについて詳述する。
【００１８】
（１）室外機
室外機１０は、屋外に設置される機器であって、主に、筐体（図示せず）、圧縮機（図示せず）、四路切換弁（図示せず）、室外側熱交換器（図示せず）、膨張弁（図示せず）、室外側送風機（図示せず）、室外側液管（図示せず）、室外側ガス管（図示せず）、二方弁（図示せず）、三方弁（図示せず）、室外側電装基板１１（図１参照）、ヒータ制御基板１２（図１参照）、電源プラグ受けブレーカ１３（図１参照）、電源プラグ受けスイッチ１４（図１参照）、電源プラグ受け１５（図１参照）、信号端子受け１６（図１参照）、ヒータブレーカ１７（図１参照）、底板ヒータ１８（図１参照）および外気温センサ１９（図１参照）から構成されている。なお、この室外機１０は、図１に示されるように、屋外主ブレーカＰＳｏに接続されている。この屋外主ブレーカＰＳｏから室外機１０への給電態様については後に詳述する。
【００１９】
筐体には、圧縮機、四路切換弁、室外側熱交換器、膨張弁、室外側送風機、室外側液管、室外側ガス管、二方弁、三方弁、室外側電装基板１１、ヒータ制御基板１２、電源プラグ受けブレーカ１３、電源プラグ受けスイッチ１４、電源プラグ受け１５、信号端子受け１６、ヒータブレーカ１７、底板ヒータ１８および外気温センサ１９等が収納されている。
【００２０】
圧縮機は、主に、吐出管（図示せず）、吸入管（図示せず）、圧縮機構（図示せず）およびモータ（図示せず）から構成されている。吐出管および吸入管は、四路切換弁の異なる接続口に接続されている。モータは、圧縮機構を動作させる駆動源であって、通信線を介して室外側電装基板１１に通信接続されており、室外側電装基板１１から送信される制御信号に従って動作する。圧縮機は、運転時、吸入管から低温低圧の冷媒ガスを吸入し、圧縮機構によりその低温低圧の冷媒ガスを圧縮して高温高圧の冷媒ガスを生成した後、その高温高圧の冷媒ガスを吐出管へ吐出する。なお、本実施の形態において、この圧縮機は、特に限定されず、密閉式であってもよいし、半密閉式であってもよいし、開放式であってもよい。また、この圧縮機は、スクロール式であってもよいし、ロータリー式であってもよいし、レシプロ式であってもよい。また、この圧縮機の制御形式は、特に限定されず、定速式の圧縮機であってもよいし、インバータ式の圧縮機であってもよい。
【００２１】
四路切換弁は、冷媒配管を介して圧縮機の吐出管および吸入管、室外側熱交換器ならびに三方弁に接続されている。また、この四路切換弁は、通信線を介して室外側電装基板１１に通信接続されており、室外側電装基板１１から送信される制御信号に従って動作する。四路切換弁は、運転時、室外側電装基板１１から送信される制御信号に従って、圧縮機の吐出管を室外側熱交換器に連結させると共に圧縮機の吸入管を、三方弁を介して室内側熱交換器に連結させる冷房運転状態と、圧縮機の吐出管を、三方弁を介して室内側熱交換器に連結させると共に圧縮機の吸入管を室外側熱交換器に連結させる暖房運転状態とに切り換わる。
【００２２】
室外側熱交換器は、複数回折り返された伝熱管（図示せず）に多数の放熱フィン（図示せず）が取り付けられたものであって、冷房運転時には凝縮器として機能し、暖房運転時には蒸発器として機能する。この室外側熱交換器は、背面が筐体から露出するように筐体に収容されている。
【００２３】
膨張弁は、開度制御可能な電子膨張弁であって、室外側液管を介して二方弁に接続されると共に、他の液側冷媒配管を介して室外側熱交換器に接続されている。また、この膨張弁は、通信線を介して室外側電装基板１１に通信接続されており、室外側電装基板１１から送信される制御信号に従って動作する。膨張弁は、運転時において、凝縮器（冷房時は室外側熱交換器であり、暖房時は室内側熱交換器である）から流出する高温高圧の液冷媒を蒸発しやすい状態すなわち気液二相の状態になるまで減圧すると共に、蒸発器（冷房時は室内側熱交換器であり、暖房時は室外側熱交換器である）への冷媒供給量を調節する役目を担っている。
【００２４】
室外側送風機は、主に、プロペラファン（図示せず）およびモータ（図示せず）から構成されている。プロペラファンは、モータによって回転駆動され、屋外の外気を室外側熱交換器に供給する。モータは、通信線を介して室外側電装基板１１に通信接続されており、室外側電装基板から送信される制御信号に従って動作する。
【００２５】
室外側液管は、膨張弁から二方弁に向かって延びる配管である。室外側液管は室外側ガス管よりも細い管であって、運転時、この室外側液管には、液冷媒が流れる。なお、冷媒としては、例えば、ＨＦＣ系のＲ４１０ＡやＲ３２等が用いられる。この室外側液管は、上述の通り、液側連絡配管を介して室内側液管に配管接続されている。
【００２６】
室外側ガス管は、四路切換弁から三方弁に向かって延びる配管である。室外側ガス管は室外側液管よりも太い管であって、運転時、この室外側ガス管には、ガス冷媒が流れる。この室外側ガス管は、上述の通り、ガス側連絡配管を介して室内側ガス管に接続されている。
【００２７】
二方弁は、室外側液管の端部に配設されている。この二方弁には、液側連絡配管が接続される。なお、二方弁は、室外機１０から液側連絡配管が取り外されるときに閉じられ、冷媒が室外機１０から外部に漏れることを防ぐ。
【００２８】
三方弁は、室外側ガス管の端部に配設されている。この三方弁には、ガス側連絡配管が接続される。なお、三方弁は、室外機１０からガス側連絡配管が取り外されるときに閉じられ、冷媒が室外機１０から外部に漏れることを防ぐ。また、室外機１０から、あるいは室内機３０を含めた冷凍サイクル全体から、冷媒を回収する必要があるときは、三方弁を通じて冷媒の回収が行われる。
【００２９】
ヒータ制御基板１２は、図１に示されるように、主に、信号送受信回路１２ａおよび電力制御回路１２ｂを有し、電源プラグ受けブレーカ１３および電源プラグ受けスイッチ１４を介して電源プラグ受け１５に接続されている。
【００３０】
電源プラグ受けブレーカ１３は、規定アンペア値を超える電流が流れた場合に電気の供給を自動で止める装置であって、図１に示されるように屋外電源判定回路１１ａと電源プラグ受けスイッチ１４との間に配設されている。
【００３１】
電源プラグ受けスイッチ１４は、電源プラグ受け１５のＯＮ／ＯＦＦを切り換えるスイッチであって、図１に示されるように電源プラグ受けブレーカ１３と電源プラグ受け１５との間に配設されている。
【００３２】
電源プラグ受け１５は、外部電気機器の差込プラグを受ける電気部品であって、図１に示されるように、電源プラグ受けブレーカ１３および電源プラグ受けスイッチ１４を介して、室外側電装基板１１の屋外電源判定回路１１ａおよびヒータ制御基板１２に並列的に接続されている。なお、説明の便宜上、図１では、電源プラグ受け１５を１つしか図示していないが、信号端子受け１６は複数設けられてもよい。
【００３３】
信号端子受け１６は、信号端子を有する外部電気機器の信号端子を受ける電気部品であって、図１に示されるように、信号線を介してヒータ制御基板１２の信号送受信回路１２ａに接続されている。なお、説明の便宜上、図１では、信号端子受け１６を１つしか図示していないが、信号端子受け１６は複数設けられてもよい。
【００３４】
ヒータブレーカ１７は、規定アンペア値を超える電流が流れた場合に電気の供給を自動で止める装置であって、ヒータ制御基板１２と底板ヒータ１８との間に配設されている。
【００３５】
底板ヒータ１８は、室外機１０の筐体の底板に配設されているヒータであって、ヒータブレーカ１７を介してヒータ制御基板１２に接続されている。
【００３６】
外気温センサ１９は、外気温度測定用のサーミスタであって、室外機１０の筐体の内部の所定箇所に配置されており、通信線（図１の一点短鎖線を参照。）を介して室外側電装基板１１に通信接続されている。そして、この外気温センサ１９は、計測温度情報を室外側電装基板１１の室外側信号送受信回路１１ｂ（後述）に送信している。なお、本実施の形態では、この外気温センサ１９の他、室外側熱交換器や、圧縮機の吐出管、圧縮機の吸入管、膨張弁と二方弁との間の冷媒配管にサーミスタが配設されている。これらのサーミスタは、全て、外気温センサ１９と同様に、通信線を介して室外側電装基板１１に通信接続されており、計測温度情報を室外側電装基板１１の室外側信号送受信回路１１ｂに送信している。
【００３７】
室外側電装基板１１は、主に、中央処理演算装置（図示せず）、記憶部（図示せず）、タイマ（図示せず）、屋外電源判定回路１１ａ、室外側信号送受信回路１１ｂおよび室外側電力制御回路１１ｃから構成されている。これらのコンポーネントは、相互にバス接続されている。また、室外側電装基板１１は、通信線を介して圧縮機のモータ、四路切換弁、膨張弁、室外側送風機のモータおよび温度センサ等に通信接続されている。中央処理演算装置は、随時、温度センサの出力情報や、記憶部に記憶される種々の制御パラメータ等を演算処理して適切な制御パラメータを導出し、その制御パラメータを、室外側信号送受信回路１１ｂを介して圧縮機や、四路切換弁、膨張弁、室外側送風機に送信する。また、中央処理演算装置は、必要に応じて、室外側信号送受信回路１１ｂを介して制御パラメータ等を室内側電装基板（後述）に送信したり、室内側電装基板から受信したりする。記憶部には、制御パラメータ等が記憶されている。タイマは、中央処理演算装置の指令に従って、時間を計測し、その計測信号を中央処理演算装置や記憶部に送信する。なお、このタイマは、ソフトウェアタイマであってもかまわない。屋外電源判定回路１１ａは、図１に示されるように、屋外主ブレーカＰＳｏに接続されている。室外側信号送受信回路１１ｂは、上述の通り、通信線を介して圧縮機のモータ、四路切換弁、膨張弁、室外側送風機のモータおよび温度センサ等に通信接続されており、それらの機器から情報信号を受信したり、それらの機器に制御信号を送信したりする。室外側電力制御回路１１ｃは、空気調和機１のみならず、電源プラグ受け１５に外部電気機器の差込プラグが差し込まれた場合、その外部電気機器に対しても電力制御を行う。具体的には、電源プラグ受け１５に外部電気機器の差込プラグが差し込まれていない場合、室外側電力制御回路１１ｃは、屋内主ブレーカＰＳｉから圧縮機のモータ、四路切換弁、膨張弁、室外側送風機のモータ、温度センサおよび底板ヒータ１８等に対して給電を行いながら電力制御を行う。また、電源プラグ受け１５に外部電気機器の差込プラグが差し込まれており且つヒータ制御基板１２の信号送受信回路１２ａがその外部電気機器から特定の信号を受信した場合、室外側電力制御回路１１ｃは、屋内主ブレーカＰＳｉから圧縮機のモータ、四路切換弁、膨張弁、室外側送風機のモータ、温度センサ、底板ヒータ１８および外部電気機器等に対して給電を行いながら電力制御を行う。なお、かかる場合、底板ヒータ１８および外部電気機器に対する電力制御は、主に、ヒータ制御基板１２の電力制御回路１２ｂによって行われる。また、この際、底板ヒータ１８および外部電気機器に対する電力制御は、外気温センサ１９からの外気温情報に基づいて実行される。この際に室外機１０に接続されている外部電気機器としては、例えば、排水凍結防止用のヒータや除霜ヒータ等の室外機のオプション品が想定される。一方、電源プラグ受け１５に外部電気機器の差込プラグが差し込まれているが、ヒータ制御基板１２の信号送受信回路１２ａがその外部電気機器から特定の信号を受信していない場合、室外側電力制御回路１１ｃは、屋内主ブレーカＰＳｉから圧縮機のモータ、四路切換弁、膨張弁、室外側送風機のモータ、温度センサ、底板ヒータ１８等に対して給電を行いながら電力制御を行うと共に、屋外主ブレーカＰＳｏから外部電気機器に対して給電を行いながら電力制御を行う。この際に室外機１０に接続されている外部電気機器としては、例えば、ベランダ設置の洗濯機や屋外照明器具等が想定される。
【００３８】
なお、屋内主ブレーカＰＳｉから室外機１０に対して給電が行われていない場合であっても、室外機１０の電源プラグ受け１５を介して電気接続される外部電気機器に対して、屋外主ブレーカＰＳｏから給電が行われる。かかる場合、電源制御は、外部電気機器に搭載される電力制御回路によって実行される。
【００３９】
（２）室内機
室内機３０は、室内に設置される機器であって、主に、筐体（図示せず）、室内側熱交換器（図示せず）、室内側送風機（図示せず）、フラップ（図示せず）、温度センサ（図示せず）、室内側液管（図示せず）、室内側ガス管（図示せず）、室内側電装基板３１（図１参照）および室内機ブレーカ３２（図１参照）から構成されている。なお、この室内機３０は、図１に示されるように、屋内主ブレーカＰＳｉに接続されている。本実施の形態に係る空気調和機１は、通常、屋内主ブレーカＰＳｉから給電を受けて動作している。
【００４０】
筐体には、室内側熱交換器、室内側送風機、温度センサ、室内側液管、室内側ガス管、室内側電装基板３１および室内機ブレーカ３２等が収納されている。なお、フラップの風向板は、運転停止時、筐体の一部を構成している。
【００４１】
室内側熱交換器は、複数の熱交換器を、室内側送風機を覆う屋根のように組み合わせたものである。なお、各熱交換器は、左右両端で複数回折り返された伝熱管（図示せず）に多数の放熱フィン（図示せず）が取り付けられたものであって、冷房運転時には蒸発器として機能し、暖房運転時には凝縮器として機能する。
【００４２】
室内側送風機は、主に、クロスフローファン（図示せず）およびモータ（図示せず）から構成されている。クロスフローファンは、モータによって回転駆動され、室内の空気を筐体に吸い込んで室内側熱交換器に供給すると共に、室内側熱交換器で熱交換された空気を室内に送出する。モータは、通信線を介して室内側電装基板３１に通信接続されており、室内側電装基板３１から送信される制御信号に従って動作する。
【００４３】
フラップは、主に、風向板（図示せず）およびモータ（図示せず）から構成されている。風向板は、モータによって上下方向および左右方向の少なくとも一方の方向に回動され、クロスフローファンによって室内に送出される空気を上下方向および左右方向の少なくとも一方の方向に調節する。モータは、通信線を介して室内側電装基板３１に通信接続されており、室内側電装基板３１から送信される制御信号に従って動作する。
【００４４】
室内側液管は、室内側熱交換器の液側部分から延びる配管である。室内側液管は室内側ガス管よりも細い管であって、運転時、この室内側液管には、液冷媒が流れる。この室内側液管は、上述の通り、液側連絡配管を介して室外側液管に接続されている。
【００４５】
室内側ガス管は、室内側熱交換器のガス側部分から延びる配管である。室内側ガス管は室内側液管よりも太い管であって、運転時、この室内側ガス管には、ガス冷媒が流れる。この室内側ガス管は、上述の通り、ガス側連絡配管を介して室外側ガス管に接続されている。
【００４６】
温度センサは、サーミスタであって、例えば、室内側熱交換器や、筐体内の吸込口付近に配設されている。温度センサは、通信線を介して室内側電装基板３１に通信接続されており、計測温度情報を室内側電装基板３１に送信している。
【００４７】
室内機ブレーカ３２は、規定アンペア値を超える電流が流れた場合に電気の供給を自動で止める装置であって、図１に示されるように室内側電装基板３１と屋内主ブレーカＰＳｉとの間に配設されている。
【００４８】
室内側電装基板３１は、主に、中央処理演算装置（図示せず）、記憶部（図示せず）、タイマ（図示せず）、室内側電力制御回路（図示せず）、赤外線受光部（図示せず）および室内側信号送受信回路（図示せず）から構成されている。これらのコンポーネントは、相互にバス接続されている。また、この室内側電装基板３１は、通信線を介して室内側送風機のモータ、フラップのモータおよび温度センサに通信接続されている。中央処理演算装置は、随時、リモートコントローラからの制御信号や、温度センサの出力情報等を演算処理して適切な制御パラメータを導出し、その制御パラメータ等を、室内側信号送受信回路を介して室内側送風機のモータや、フラップのモータに送信する。また、中央処理演算装置は、必要に応じて、室内側信号送受信回路を介して制御パラメータ等を室外側電装基板１１に送信したり、室外側電装基板１１から制御パラメータ等を受信したりする。赤外線受光部は、リモートコントローラから発生される点滅赤外線を受光するものであって、点滅赤外線を信号化処理し、生成した信号を中央処理演算装置に送信する。
【００４９】
なお、室外機１０の圧縮機、四路切換弁、室外側熱交換器および膨張弁、ならびに室内機３０の室内側熱交換器は、冷媒配管によって順次接続され、冷媒回路を構成している。
【００５０】
（３）リモートコントローラ
リモートコントローラは、点滅赤外線を利用してユーザの指令を室内機の室内側電装基板３１に伝達するためのものであって、主に、赤外線発光部、表示パネル、運転停止ボタン、モード切換ボタン、温度上昇ボタン、温度下降ボタン、風量上昇ボタン、風量下降ボタン、風向調節ボタン等から構成されている。
【００５１】
表示パネルには、設定温度や、風向、風量、運転モード等の情報が表示される。このため、ユーザは、表示パネルを確認にすることによって、現在の空気調和機１の運転状態を確認することができる。
【００５２】
運転停止ボタンは、運転中にユーザによって押圧されると、赤外線発光部に対して、空気調和機１を停止させる点滅パターンの赤外線を発光させ、停止中にユーザによって押圧されると、赤外線発光部に対して、空気調和機１を運転させる点滅パターンの赤外線を発光させる。
【００５３】
モード切換ボタンは、運転中にユーザによって押圧される度に、赤外線発光部に対して、順に、空気調和機１を冷房モードで運転する点滅パターンの赤外線、空気調和機１を除湿モードで運転する点滅パターンの赤外線、空気調和機１を暖房モードで運転する点滅パターンの赤外線、空気調和機１を送風モードで運転する点滅パターンの赤外線を発光させる。なお、この空気調和機１において、室外側電装基板１１の記憶部（図示せず）には、各運転モードの制御パターンが予め記憶されている。
【００５４】
温度上昇ボタンは、ユーザによって押圧される度に、赤外線発光部に対して、設定温度を１℃上昇させる点滅パターンの赤外線を発光させる。また、温度下降ボタンは、ユーザによって押圧される度に、赤外線発光部に対して、設定温度を１℃下降させる点滅パターンの赤外線を発光させる。
【００５５】
風量上昇ボタンは、ユーザによって押圧される度に、赤外線発光部に対して、風量を１段階上のレベルまで上昇させる点滅パターンの赤外線を発光させる。また、風量下降ボタンは、ユーザによって押圧される度に、赤外線発光部に対して、風量を一段階下のレベルまで下降させる点滅パターンの赤外線を発光させる。
【００５６】
風向調節ボタンは、ユーザによって押圧される度に、赤外線発光部に対して、風向板を段階的に上方に移動させる点滅パターンの赤外線を発光させる。なお、風向板が最高位に位置している場合にユーザによって風向調節ボタンが押圧されると、赤外線発光部は、風向板を最下位に移動させる点滅パターンの赤外線を発光する。
【００５７】
＜空気調和機の基本的な動作＞
以下、本実施の形態にかかる空気調和機１の冷房運転および暖房運転について詳述する。
（１）冷房運転
冷房運転では、四路切換弁が、圧縮機の吐出管が室外側熱交換器に接続されると共に、圧縮機の吸入管が室内側熱交換器に接続された状態とされる。また、このとき、二方弁および三方弁は開状態とされている。この状態で、圧縮機が起動されると、ガス冷媒が、圧縮機に吸入され、圧縮された後、四路切換弁を経由して室外側熱交換器に送られ、室外側熱交換器において冷却され、液冷媒となる。そして、この液冷媒は、膨張弁に送られ、減圧されて気液二相状態となる。気液二相状態の冷媒は、二方弁を経由して室内側熱交換器に供給され、室内空気を冷却するとともに蒸発されてガス冷媒となる。最後に、そのガス冷媒は、三方弁および四路切換弁を経由して、再び、圧縮機に吸入される。
【００５８】
（２）暖房運転
暖房運転では、四路切換弁が、圧縮機の吐出管が室内側熱交換器に接続されると共に、圧縮機の吸入管が室外側熱交換器に接続された状態とされる。また、このとき、二方弁および三方弁は開状態とされている。この状態で、圧縮機が起動されると、ガス冷媒が、圧縮機に吸入され、圧縮された後、四路切換弁および三方弁を経由して室内側熱交換器に供給され、室内空気を加熱すると共に凝縮されて液冷媒となる。その後、この液冷媒は、二方弁を経由して膨張弁に送られ、減圧されて気液二相状態となる。気液二相状態の冷媒は、室外側熱交換器に送られて、室外側熱交換器において蒸発させられてガス冷媒となる。最後に、そのガス冷媒は、四路切換弁を経由して、再び、圧縮機に吸入される。
【００５９】
＜第１の実施の形態にかかる空気調和機の特徴＞
本実施の形態にかかる室外機１０では、電源プラグ受け１５に外部電気機器の差込プラグが差し込まれた状態において、信号送受信回路１２ａが外部電気機器から特定の信号を受信した場合、室外側電力制御回路１１ｃは、屋内主ブレーカＰＳｉから圧縮機のモータ、四路切換弁、膨張弁、室外側送風機のモータ、温度センサ、底板ヒータ１８および外部電気機器等に対して給電を行いながら電力制御を行う。一方、電源プラグ受け１５に外部電気機器の差込プラグが差し込まれているが、ヒータ制御基板１２の信号送受信回路１２ａがその外部電気機器から特定の信号を受信していない場合、室外側電力制御回路１１ｃは、屋内主ブレーカＰＳｉから圧縮機のモータ、四路切換弁、膨張弁、室外側送風機のモータ、温度センサ、底板ヒータ１８等に対して給電を行いながら電力制御を行うと共に、屋外主ブレーカＰＳｏから外部電気機器に対して給電を行いながら電力制御を行う。このため、この室外機１０では、外部電気機器の運転に必要な電力に制限されることなく、空気調和運転を行わせることができると共に、外部電気機器の種別に応じて適切な電力制御を実行することができる。
【００６０】
また、電源プラグ受け１５に外部電気機器の差込プラグが差し込まれた状態において、信号送受信回路１２ａが外部電気機器から特定の信号を受信した場合、底板ヒータ１８および外部電気機器に対する電力制御が、外気温センサ１９からの外気温情報に基づいて実行される。このため、この室外機１０では、室外機１０の運転状況に応じて適切に外部電気機器の電力制御を実行することができる。
【００６１】
また、電源プラグ受け１５に外部電気機器の差込プラグが差し込まれた状態において、信号送受信回路１２ａが外部電気機器から特定の信号を受信した場合、圧縮機のモータ、四路切換弁、膨張弁、室外側送風機のモータ、温度センサ等に対する電力制御は、室外側電力制御回路１１ｃによって行われ、底板ヒータ１８および外部電気機器に対する電力制御は、主に、ヒータ制御基板１２の電力制御回路１２ｂによって行われる。このため、室外機１０では、電力制御回路１１ｃ，１２ｂの負荷を分散させることができる。
【００６２】
−第２の実施の形態−
第２の実施の形態にかかる空気調和機は、電源供給源が屋内主ブレーカＰＳｉおよび屋外主ブレーカＰＳｏのいずれか１つしか存在しない態様で第１の実施の形態にかかる空気調和機１と相違する。
【００６３】
本実施の形態に係る空気調和機では、室内機３０に屋内主ブレーカＰＳｉが電気接続されているか、室外機１０に屋外主ブレーカＰＳｏが電気接続されている。そして、電源プラグ受け１５に外部電気機器の差込プラグが差し込まれていない場合、室外側電力制御回路１１ｃは、屋内主ブレーカＰＳｉまたは屋外主ブレーカＰＳｏから圧縮機のモータ、四路切換弁、膨張弁、室外側送風機のモータ、温度センサおよび底板ヒータ１８等に対して給電を行いながら電力制御を行う。また、電源プラグ受け１５に外部電気機器の差込プラグが差し込まれていると共に、ヒータ制御基板１２の信号送受信回路１２ａがその外部電気機器から特定の信号を受信した場合、室外側電力制御回路１１ｃは、屋内主ブレーカＰＳｉまたは屋外主ブレーカＰＳｏから圧縮機のモータ、四路切換弁、膨張弁、室外側送風機のモータ、温度センサ、底板ヒータ１８および外部電気機器等に対して給電を行いながら電力制御を行う。なお、かかる場合、底板ヒータ１８および外部電気機器に対する電力制御は、主に、ヒータ制御基板１２の電力制御回路１２ｂによって行われる。また、この際、底板ヒータ１８および外部電気機器に対する電力制御は、外気温センサ１９からの外気温情報に基づいて実行される。この際に室外機１０に接続されている外部電気機器としては、例えば、排水凍結防止用のヒータや除霜ヒータ等の室外機のオプション品が想定される。一方、電源プラグ受け１５に外部電気機器の差込プラグが差し込まれているが、ヒータ制御基板１２の信号送受信回路１２ａがその外部電気機器から特定の信号を受信していない場合、室外側電力制御回路１１ｃは、屋内主ブレーカＰＳｉまたは屋外主ブレーカＰＳｏから圧縮機のモータ、四路切換弁、膨張弁、室外側送風機のモータ、温度センサ、底板ヒータ１８および外部電気機器に対して給電を行いながら電力制御を行う。かかる場合、圧縮機のモータ、四路切換弁、膨張弁、室外側送風機のモータ、温度センサ、底板ヒータ１８に優先的に給電が行われ、外部電気機器には余剰電力しか供給されない。
【００６４】
−第３の実施の形態−
第３の実施の形態にかかる空気調和機は、屋内主ブレーカＰＳｉから室外機１０に対して給電が行われていない状況における外部電気機器に対する屋外主ブレーカＰＳｏからの給電態様で第１の実施の形態にかかる空気調和機１と相違する。このため、本実施の形態にかかる空気調和機については、この態様についてのみ説明を行う。
【００６５】
本実施の形態に係る空気調和機では、屋外主ブレーカＰＳｏと屋外電源判定回路１１ａとの間に自動制御スイッチが配設されており、室外機１０への電力供給が遮断されると同時に室外側電力制御回路１１ｃによってその自動制御スイッチがオフ状態とされる。このため、室外機１０への電力供給が遮断されている状態では、電源プラグ受け１５に外部電気機器を接続してもその外部電気機器を使用することができない。
【００６６】
−第４の実施の形態−
第４の実施の形態にかかる空気調和機は、屋外主ブレーカＰＳｏと屋外電源判定回路１１ａとの間に自動制御スイッチが配設されている態様で第１の実施の形態にかかる空気調和機１と相違する。このため、本実施の形態にかかる空気調和機については、この態様についてのみ説明を行う。
【００６７】
本実施の形態に係る空気調和機では、室外機１０の電源プラグ受け１５に外部電気機器の差込プラグが差し込まれていない場合、または、電源プラグ受け１５に外部電気機器の差込プラグが差し込まれており且つヒータ制御基板１２の信号送受信回路１２ａがその外部電気機器から特定の信号を受信した場合、室外側電力制御回路１１ｃによって、上述の自動制御スイッチがオフ状態とされる。すなわち、室外機１０は、屋外主ブレーカＰＳｏからの電力供給が不必要な場合、それを積極的に遮断する。
【００６８】
−第５の実施の形態−
第５の実施の形態にかかる空気調和機は、屋外主ブレーカＰＳｏと室外機１０との接続態様で第１の実施の形態にかかる空気調和機１と相違する。このため、本実施の形態にかかる空気調和機については、この態様についてのみ説明を行う。
【００６９】
本実施の形態に係る空気調和機では、屋外主ブレーカＰＳｏが室外側電装基板１１の屋外電源判定回路１１ａのみならず、ヒータ制御基板１２にも電気接続されている。
【００７０】
−その他の応用例−
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。例えば、実施の形態では冷暖房可能な空気調和機にて本発明を説明したが、本発明は、冷房専用機にも適用することができる。
【符号の説明】
【００７１】
１      空気調和機（冷凍装置）
１０      室外機
１１      室外側電装基板（電力制御部，第２電力制御部）
１２      ヒータ制御基板（電力制御部，第１電力制御部）
１２ａ    信号送受信回路（信号受信部）
１５      電源プラグ受け
１６      信号端子受け
１９      外気温センサ（情報取得装置）
ＰＳｉ      屋内主ブレーカ（第１電力供給源）
ＰＳｏ      屋外主ブレーカ（第２電力供給源）
【図１】
2016223655.tif 000003